(57)【要約】【課題】ヘリコプターなどの飛行体の格納庫において、飛行体の駐機方向や駐機位置などを指示することができる格納庫を簡便に提供すること。【解決手段】飛行体の格納庫であって、前記飛行体を載置する床面と、前記床面を囲むように設けられた壁面と、前記壁面を覆うように設けられた天井と、前記壁面に設けた前記飛行体の出入りのための開口部とを有し、前記床面に、色の相違などにより識別可能な複数の帯状部、更には目印を有すること。【選択図】図１
2019034657.tif 000002
【特許請求の範囲】
【請求項１】
飛行体を載置する床面と、前記床面を囲むように設けられた壁面と、前記壁面を覆うように設けられた天井と、前記壁面に設けた前記飛行体の出入りのための開口部とを有し、前記床面に識別可能な複数の帯状部を有することを特徴とする飛行体の格納庫。
【請求項２】
前記識別可能な複数の帯状部が、隣り合う帯状部を異なる色で形成したものであることを特徴とする請求項１に記載の飛行体の格納庫。
【請求項３】
前記識別可能な複数の帯状部の異なる色が、同系色で明度が異なる色であることを特徴とする請求項２に記載の飛行体の格納庫。
【請求項４】
前記複数の帯状部が、前記飛行体の進行方向に延伸していることを特徴とする請求項１に記載の飛行体の格納庫。
【請求項５】
前記複数の帯状部のいずれかに目印が付されていることを特徴とする請求項１に記載の飛行体の格納庫。
【発明の詳細な説明】
【技術分野】
【０００１】
本発明は、ヘリコプターなどの飛行体を格納する格納庫に関し、特に、床面に識別可能な複数の帯状部を設けた格納庫に関する。
【０００２】
近年、ヘリコプターなどの飛行体を格納するための格納庫が各地に設置されており、  その際に、飛行体を格納庫内に正しく格納するための工夫が重要となる。
【０００３】
これらの問題に関して、例えば、特許文献１には、格納庫に飛行機が出入する際に飛行機の前輪と後輪とを正確な進路に案内するために、 床面に起伏可能に設けられ起立したとき飛行機の前輪を左右から案内する中央のガイド板と、中央のガイド板の外側に沿って床面に起伏可能に設けられ起立したとき飛行機の後輪を内側から案内する外側のガイド板と、中央のガイド板並びに外側のガイド板の下方に沿ってそれぞれ設けられた駆動軸と、床面の下方に設けられ駆動軸を回動させる駆動装置と、中央のガイド板並びに外側のガイド板のそれぞれの下面と駆動装置との間に取り付けられ駆動軸の回動に伴って中央のガイド板並びに外側のガイド板を床面に対して起伏させるリンク機構とを備える格納庫の案内装置の技術思想が開示されている。
【０００４】
これによると、特に余裕限度の少ない格納庫の場合に、主翼の端部と格納庫の側壁とが接触し、主翼の端部や格納庫の側壁を破損させる恐れがあるが、格納庫に飛行機が出入する際に飛行機の前輪と後輪とを正確な進路に案内し、主翼の端部が格納庫の側壁に接触しないようにすることができるという利点がある。  
【０００５】
しかしながら、この案内装置は、格納庫の床部を掘削するなどの大規模な工事を必要とすることから、建設費用が高額となるという問題点があった。
【先行技術文献】
【特許文献】
【０００６】
【特許文献１】特開平１０−２４９００号公報
【発明の概要】
【発明が解決しようとする課題】
【０００７】
解決しようとする問題点は、ヘリコプターなどの飛行体の格納庫において、飛行体の駐機方向や駐機位置などを指示することができる格納庫を簡便に提供することが難しい点である。
【課題を解決するための手段】
【０００８】
本発明は、上記課題を解決するために、飛行体の格納庫であって、
前記飛行体を載置する床面と、
前記床面を囲むように設けられた壁面と、
前記壁面を覆うように設けられた天井と、
前記壁面に設けた前記飛行体の出入りのための開口部と
を有し、前記床面に識別可能な複数の帯状部を有することを特徴とする。
【０００９】
ここで識別可能な複数の帯状部とは、床面を複数の帯（ストライプ）状に分割し、隣り合う帯状部を異なる色（色相、明度、彩度のいずれかまたはその組み合わせが異なる）で形成したものが好適であり、色の形成は、塗装あるいはシートの貼付などの方法によって実現される。
【００１０】
このようにすると、特に大がかりな工事を必要としない床面の帯状部により、操縦士が目視で飛行体の向き、駐機位置などを確認することができる。
【００１１】
また、帯状部に明度の高い色を用いると、格納庫内の明るさが増し、照明効率が上がるほかに、床面に残置された部品、工具などの物品を見つけやすくなるなどの効果も期待できる。
【００１２】
本発明は、更に、飛行体の格納庫であって、前記帯状部が、前記飛行体の進行方向に延伸していることを特徴としてもよい。このようにすると、操縦士が、その帯状部の延伸方向に従って操縦することで機体の向きを正しく保つことができる。
【００１３】
本発明は、更に、飛行体の格納庫であって、前記複数の帯状部のいずれかに目印が付されていることを特徴としてもよい。
【００１４】
ここで、目印とは、帯状帯の終端部分に付した番号や記号、あるいは、帯状帯の中間部で、飛行体の停止位置を示す停止線や車輪位置表示など、飛行体の駐機や誘導に必要なあらゆる情報を含むものとする。
【００１５】
このようにすると、更に、飛行体の操縦を容易にし、正確な位置への駐機が可能となる。  
【００１６】
本発明は、更に、飛行体の格納庫であって、前記識別可能な複数の帯状部の色の相違が、同系色の濃淡であることを特徴としてもよい。
【００１７】
このようにすると、落ち着いた雰囲気を醸し出し、格納庫の利用者に対して好印象を与え、良好な気分で業務を遂行できる。
【発明の効果】
【００１８】
本発明のヘリコプターなどの飛行体の格納庫は、床面に識別可能な複数の帯状部を設けたことにより、飛行体の駐機方向や駐機位置などを指示することができる格納庫を簡便に提供することができるなどの効果を有する。
【図面の簡単な説明】
【００１９】
【図１】本発明の飛行体の格納庫の一実施形態の斜視図である。
【図２】本発明の飛行体の格納庫の一実施形態の床面の平面図である。
【発明を実施するための形態】
【００２０】
本発明の一実施形態を、図面を用いて説明する。図１は、本発明の飛行体の格納庫の一実施形態の斜視図である。
【００２１】
本発明の飛行体の格納庫１の一実施形態は、ヘリコプターなどの飛行体を載置する床面１０と、床面１０を囲むように設けられた壁面２０と、壁面２０を覆うように設けられた天井３０と、壁面２０に設けた飛行体の出入りのための開口部４０とを有する。
【００２２】
なお、この他に、必要に応じて、壁面２０や天井３０を支える柱や梁、それらの基礎となる土台、飛行体以外の人間や物品の出入りのための出入口などを設けてもよい。
【００２３】
ここで、床面１０には、複数の帯状部１１ａ〜１１ｎ（ｎは特に限定されない）が形成されている。
【００２４】
この複数の帯状部１１ａ〜１１ｎは、床面１０を塗装したもので、格納庫１の開口部４０から奥に向かって直線状に延伸している。
【００２５】
より具体的には、帯状部１１の塗装は、同系色で明度の異なる２色を互い違いに配置するものとし、色相としてはパステルカラーのような中間色、例えば薄緑色が好適である。
【００２６】
また、それぞれの帯状部１１の幅は、飛行体がヘリコプターである場合、１ｍ程度が好適であり、帯状部１１の数は格納庫１の広さによって決まるが、この幅に限定されるものではない。
【００２７】
なお、図中では、帯状部１１は、床部１０の全域にわたっているが、周辺部には帯状部１１を設けずに、作業者の歩行路などとしておいてもよい。
【００２８】
図２は、本発明の飛行体の格納庫１の一実施形態の床面１０の平面図である。床面１０は、異なる２色で帯状部１１ａ〜１１ｋが形成されている。
【００２９】
ここで、帯状部１１ａは明度の低い薄緑色、１１ｂは明度の高い薄緑色で塗られ、その後は、順次、互い違いにその２色で塗り分けられているものとする。
【００３０】
更に、帯状部１１には、いくつかの目印が設けられている。まず、帯状部１１の先端部分には番号表示１２が設けられている。ここでは左からそれぞれの帯状部１１に対応して、「０１」、「０２」、・・というように増加していく番号が、黒色塗装で表示されている。
【００３１】
また、番号表示１２よりやや手前側には、黒色塗装で、停止線１３、ヘリコプターのスキッドの位置を案内するスキッド位置表示１４ａ、１４ｂが設けられている。これらの番号表示１２、停止線１３、スキッド位置表示１４を総称して目印と呼ぶ。
【００３２】
次に、このような構成の本発明の飛行体の格納庫の使用方法について説明する。
【００３３】
飛行を終えて着陸したヘリコプター５０は、牽引車などにより、あるいは自力で、地上移動のためのタイヤを用いて走行することによって格納庫１へと向かい、格納庫１の開口部４０から、格納庫１の内部へと進行する。なお、走行できない飛行体の場合には、運搬機などによって運搬される場合もある。進行方向は、機首を最前方にして進行する場合と、機首を最後方にして進行する場合のどちらもあり得る。また、退出時は、そのまま、逆方向へ進行することが通常である。
【００３４】
格納庫１の内部には、異なる２色で形成された帯状部１１ａ〜１１ｋが格納庫１の奥に向かい、ヘリコプター５０の進行方向に延伸しているため、操縦士（運転手）は、その帯状部１１を目安にして、正しい方向に進行することができる。
【００３５】
格納されるヘリコプター５０は、予め停止位置が決まっており、格納庫１の最奥部にある番号表示１２の指定された番号、例えば「０６」の方向に機首を向け、帯状部１１の延伸方向に機体を平行にして駐機する。
【００３６】
更に、床面１０には、停止線１３、スキッド位置表示１４ａ、１４ｂがあるため、前後、左右方向の指定された位置にヘリコプター５０を駐機することができる。
【００３７】
ここで、床部１０が、薄緑色で塗り分けられていることから、通常のコンクリートのままの暗灰色の床面に比べて、明るくなっており、そのことにより、照明効率がよくなり、また、床面１０に残置された部品、工具、荷物などの発見が容易になる。
【００３８】
更には、薄緑色に塗装したことにより、格納庫における作業員に良好な影響を与えることが期待できる。すなわち、色彩心理学上は、緑系の色は中間色で最も刺激の少ない色であり、心身のバランスを整えリラックスさせる効果や、落着きと安らぎをもたらす効果があるとされているからである。
【００３９】
なお、これまでの説明で、飛行体としてヘリコプターを例に説明したが、本発明の飛行体はヘリコプターに限定されず、飛行機、あるいは、いわゆるドローンなどの無人飛行体を対象としてもよい。
【００４０】
また、これまでの説明で、識別可能な複数の帯状部として、人間が目視できる異なる色の帯状部として説明したが、人間の目視によらず、センサーなどの計器によって識別するようにしてもよい。
【００４１】
同様に、識別可能な複数の帯状部として、異なる色（有彩色）であることを例に説明したが、明度の異なる無彩色であってもよく、また、同一色であっても異なる模様（ハッチングの相違）などで識別可能としてもよく、あるいは、目視では同一であってもセンサーなどに感知しうる異なる材質の塗料などを用いてもよいし、それらの識別可能な要素を組み合わせてもよい。
【００４２】
なお、色により識別可能とする場合、薄緑色の明度の異なる２色が好適であると説明したが、これに限定されるものではなく、他の色相（黄色系、青色系、赤色系など）の同色系で明度あるいは彩度のことなるものを用いてもよい。それぞれの色相に応じて、色彩心理学的な効果が得られることもある。
【００４３】
更に、場合によっては、色相の異なる系統の色を用いたり、２色に限定せず３色以上の異なる色を用いたりしても、効果を発揮することもあり得る。
【００４４】
このように床面に色彩を用いると、殺風景な格納庫に美的な感覚をもたらすことにもなり、格納庫利用の拡大や、格納庫自体の需要の喚起にもつながることが期待できる。
【００４５】
また、これまでの説明で、帯状部１１は、ヘリコプター５０の進行方向、すなわち格納庫１の開口部４０から奥へ向かって延伸するとしたが、ヘリコプター５０の進行方向と直角あるいはある角度を有する方向に延伸してもよい場合もあり得る。
【００４６】
例えば、格納庫の中で、直角方向にヘリコプター５０を回動させる必要がある場合とか、ヘリコプター５０が正しく進行方向と直角方向に整列していることを重視する場合とかには、有効となる。  
【００４７】
更には、帯状部が、進行方向及びそれと直角方向の碁盤の目状（市松状）に色分けなどにより識別可能となっていてもよい場合もある。これによればこれまで説明した両方の利点が得られる場合もありうる。
【００４８】
また、帯状部１１に目印として、番号表示１２、停止線１３、及びスキッド位置表示１４を黒色塗装で形成するとしたが、塗装によらずシール貼り付けなどの方法でもよく、黒色にも限定されず、識別可能であればよく、更に、目印として、番号表示１２、停止線１３、スキッド位置表示１４に限定されず、どのような用途で、どのような記号・番号・図形を用いた表示であってもよく、それぞれに格納庫としての利用に際して効果を生じることが期待できる。
【００４９】
なお、これまでの説明で、格納庫は壁面と天井を有するとしたが、多層階の建物の１階層を利用するような場合には、天井は上層階の床部と解してよい。また、格納庫を地下に、または、地上でも洞穴状に設ける場合には、掘削した側面が壁面、上面が天井と解してよい。
【００５０】
更に、変形例として、壁面を有さず柱や梁のみの構造や、常設の天井を有しない構造なども考えられる。
【符号の説明】
【００５１】
１    格納庫
１０  床面
１１  帯状部
１２  番号表示
１３  停止線
１４  スキッド位置表示
２０  壁面
３０  天井
４０  開口部
５０  ヘリコプター
【図１】
2019034657.tif 000003
【図２】
2019034657.tif 000004
【手続補正書】
【提出日】平成30年2月20日(2018.2.20)
【手続補正１】
【補正対象書類名】特許請求の範囲
【補正対象項目名】全文
【補正方法】変更
【補正の内容】
【特許請求の範囲】
【請求項１】
飛行体を載置する床面と、前記床面を囲むように設けられた壁面と、前記壁面を覆うように設けられた天井と、前記壁面に設けた前記飛行体の出入りのための開口部とを有し、前記飛行体を載置する床面に複数の帯状部を有し、各々の前記帯状部の略全域に、隣り合う前記帯状部と識別可能な要素が付されることを特徴とする飛行体の格納庫。
【請求項２】
前記識別可能な要素が、異なる色であることを特徴とする請求項１に記載の飛行体の格納庫。
【請求項３】
前記隣り合う帯状部の異なる色が、同系色で明度が異なる色であることを特徴とする請求項２に記載の飛行体の格納庫。
【請求項４】
前記複数の帯状部が、前記飛行体の進行方向に延伸していることを特徴とする請求項１に記載の飛行体の格納庫。
【請求項５】
前記複数の帯状部のいずれかに目印が付されていることを特徴とする請求項１に記載の飛行体の格納庫。
【手続補正書】
【提出日】平成30年5月22日(2018.5.22)
【手続補正１】
【補正対象書類名】特許請求の範囲
【補正対象項目名】全文
【補正方法】変更
【補正の内容】
【特許請求の範囲】
【請求項１】
飛行体を載置する床面と、前記床面を囲むように設けられた壁面と、前記壁面を覆うように設けられた天井と、前記壁面に設けた前記飛行体の出入りのための開口部とを有し、前記飛行体を載置する床面に、前記飛行体の向きを正しく保つために、前記飛行体の進行方向に延伸する複数の帯状部を有し、各々の前記帯状部の略全域に、隣り合う前記帯状部と異なる色が付されることを特徴とする飛行体の格納庫。
【請求項２】
前記隣り合う帯状部の異なる色が、同系色で明度が異なる色であることを特徴とする請求項２に記載の飛行体の格納庫。
【請求項３】
前記同系色で明度が異なる色が、明度の高い薄緑色と明度の低い薄緑色とであることを特徴とする請求項３に記載の飛行体の格納庫。
【手続補正書】
【提出日】平成30年8月9日(2018.8.9)
【手続補正１】
【補正対象書類名】特許請求の範囲
【補正対象項目名】全文
【補正方法】変更
【補正の内容】
【特許請求の範囲】
【請求項１】
飛行体を載置する床面と、前記床面を囲むように設けられた壁面と、前記壁面を覆うように設けられた天井と、前記壁面に設けた前記飛行体の出入りのための開口部とを有し、前記飛行体を載置する床面の略全域に、前記飛行体の向きを正しく保つために、前記飛行体の進行方向に延伸する複数の略同一幅の帯状部を有し、各々の前記帯状部の略全域に、隣り合う前記帯状部と異なる色が付されることを特徴とする飛行体の格納庫。
【請求項２】
前記隣り合う帯状部の異なる色が、同系色で明度が異なる色であることを特徴とする請求項１に記載の飛行体の格納庫。
【請求項３】
前記同系色で明度が異なる色が、明度の高い薄緑色と明度の低い薄緑色とであることを特徴とする請求項２に記載の飛行体の格納庫。